(57)【要約】【課題】従来の海面廃棄物処分場における遮水シートの接続を水中で行うことは困難であるか不可能であった。【解決手段】本発明の海面廃棄物処分場の遮水シート継手は、一方及び他方の型枠と、難透水性材料とより成り、上記一方の型枠が被継手遮水シートの端部に接着されており、他方の型枠が継手用遮水シートの端部に接着されており、上記被継手用遮水シートの端部と継手用遮水シートの端部が重ね合わされた状態で上記型枠の一方及び他方が上記難透水性材料を充填すべき袋状空所を形成することを特徴とする。【選択図】図１
2007152241.tif 000002
【特許請求の範囲】
【請求項１】
一方及び他方の型枠と、難透水性材料とより成り、上記一方の型枠が被継手用遮水シートの端部に接着されており、他方の型枠が継手用遮水シートの端部に接着されており、上記被継手用遮水シートの端部と継手用遮水シートの端部が重ね合わされた状態で上記型枠の一方及び他方が上記難透水性材料を充填すべき袋状空所を形成することを特徴とする海面廃棄物処分場の遮水シート継手。
【請求項２】
上記型枠の一方及び他方が所定の高さの支持材によって支持されていることを特徴とする請求項１記載の海面廃棄物処分場の遮水シート継手。
【請求項３】
上記型枠の端面に上記難透水性材料の漏出防止用ブロックが設置されていることを特徴とする請求項１または２記載の海面廃棄物処分場の遮水シート継手。
【請求項４】
上記難透水性材料が、変形追随性を有するアスファルトマスチックであることを特徴とする請求項１、２または３記載の海面廃棄物処分場の遮水シート継手。
【請求項５】
上記難透水性材料が、珪酸塩類とアルカリ金属塩類の何れか１つと、粘性土と、粘土鉱物（ベントナイト）とを含む変形追随性を有する土質系材料であることを特徴とする請求項１、２または３記載の海面廃棄物処分場の遮水シート継手。
【請求項６】
上記難透水性材料が、粘性土と、粘土鉱物（ベントナイト）とを含む変形追随性を有する土質系材料であることを特徴とする請求項１、２または３記載の海面廃棄物処分場の遮水シート継手。
【発明の詳細な説明】
【技術分野】
【０００１】
本発明は海面廃棄物処分場の遮水シート継手、特に、遮水シートを水中で接続可能な海面廃棄物処分場における遮水シート継手に関する。
【背景技術】
【０００２】
従来の遮水シート継手は、例えば特許文献１に示すように２枚のシートを気中において熱溶着によりまたは接着剤によって接合するのが一般的である。
【特許文献１】特開２００１−３１０４０９号公報
【発明の開示】
【発明が解決しようとする課題】
【０００３】
従来の熱溶着や接着剤による継手シートの接合作業は、気中では容易であるが、水中での接合は困難であるかまたは不可能である。このため、シートを接合する場合は、一旦水中に敷設したものを再浮上させシート端部を水面に浮かべる必要があり、特に法面や斜面での施工は困難であった。
【０００４】
また、左右両方向からシートが敷設されてきている場合では、気中で接着したものを水中に敷設する必要がある。気中での接着作業の際は、シート本体の伸びに期待し、接着後水中に敷設された際は、もとの長さに戻ることを想定するが、実際にはシートの残留変形があるため、水中に敷設された際に皺がよるなど、遮水性能への悪影響が懸念される。
【０００５】
本発明は上記の欠点を除くようにしたものである。
【課題を解決するための手段】
【０００６】
本発明の海面廃棄物処分場の遮水シート継手は、一方及び他方の型枠と、難透水性材料とより成り、上記一方の型枠が被継手遮水シートの端部に接着されており、他方の型枠が継手用遮水シートの端部に接着されており、上記被継手用遮水シートの端部と継手用遮水シートの端部が重ね合わされた状態で上記型枠の一方及び他方が上記難透水性材料を充填すべき袋状空所を形成することを特徴とする。
【０００７】
上記型枠の一方及び他方は所定の高さの支持材によって支持されていることを特徴とする。
【０００８】
上記型枠の端面に上記難透水性材料の漏出防止用ブロックが設置されていることを特徴とする。
【０００９】
上記難透水性材料は、変形追随性を有するアスファルトマスチックであることを特徴とする。
【００１０】
上記難透水性材料は、珪酸塩類とアルカリ金属塩類の何れか１つと、粘性土と、粘土鉱物（ベントナイト）とを含む変形追随性を有する土質系材料であることを特徴とする。
【００１１】
上記難透水性材料は、粘性土と、粘土鉱物（ベントナイト）とを含む変形追随性を有する土質系材料であることを特徴とする。
【発明の効果】
【００１２】
本発明によれば、遮水シート自体は気中では接合せず、シートの重ね合せ部分を水中でシールするのが可能となり、従来の気中での継手施工と比較し、遮水シート敷設の中断・再開が容易であり、施工時の自由度が上がる。
【００１３】
また、水中でシートを敷設した状態で施工可能であり、施工に伴いシートに皺がよらないため、シートが破損する恐れが無く、確実な遮水機能が得られる。
【００１４】
また、難透水性遮水材は、地震時等においてシートが施設された地盤面が変形した場合でもひび割れたりせずに、変形に追随するようになる。
【発明を実施するための最良の形態】
【００１５】
以下図面によって本発明の実施例を説明する。
【実施例１】
【００１６】
実施例１として、外周護岸開口部において、本発明を適用する場合を示す。
【００１７】
本発明においては図１に示すように例えばシート材より成る一方及び他方の型枠６ａ，６ｂの下面を夫々被継手用遮水シート５の端部５ａと継手用遮水シート７の端部７ａに、これらシート５，７を水中に敷設する前に、気中で熱溶着によりまたは接着剤により取付けておく。
【００１８】
（１）開口部形状
【００１９】
一般に海面廃棄物処分場地の外周護岸を築造する際には、図２に示すように外周護岸１の一部に開口部２を設け、作業用船舶の航行を可能にする。この際、ケーソン３、裏込石４、この裏込石４上にかぶせる母材または被継手用遮水シート５も一旦開口部２の両端で施工を中断する。
【００２０】
上記開口部２を閉じる際には図３に示すように開口部２にケーソン３ａを設置し、また、図４に示すように裏込石４ａを設置する。
【００２１】
（２）ケーソン・裏込石の施工
【００２２】
（３）継手用遮水シートの敷設
【００２３】
水中に敷設する前に、端部５ａに気中で熱溶着によりまたは接着剤により一方の型枠６ａを取り付けた被継手用遮水シート５を図３に示すように裏込石４ａ上に設置した後、端部７ａに他方の型枠６ｂを気中で熱溶着によりまたは接着剤により取付けておいた継手用遮水シート７を図５に示すように水中の裏込石４上に敷設し、この場合、図１に示すように被継手用遮水シート５の端部５ａと継手用遮水シート７の端部７ａが互いに重ね合わされ、上記一方及び他方の型枠６ａ，６ｂの間に袋状空所６が形成されるようにする。
【００２４】
（４）難透水性材料の打設充填
【００２５】
図６に示すように空所６を形成する一方及び他方の袋状型枠６ａ，６ｂの端面には、袋状空所６内に充填する難透水性材料８の漏出防止用コンクリートブロック、石材等の支え９を設置する。難透水性材料としては変形追従性を有する例えばアスファルトマスチックや土質系材料を使用する。また、一方及び他方の型枠６ａ，６ｂの外側面には例えば厚さが５０ｃｍ程度になる様に石材や金属の支持材１０を設置し、図７に示すように例えばトレミー管１１を用いて袋状空所６内に難透水性材料８を水中打設する。難透水性材料８の充填時には一方及び他方の型枠６ａ，６ｂに過大な荷重が作用しないよう、複数回に分け順次下側から打設を行ない、１回目の難透水性材料８の充填を完了したとき図８に示すように袋状空所６の上部において上記一方及び他方の型枠６ａ，６ｂの上部をひもやファスナー等で閉じ、難透水性材料８の２回目以降の充填の際には上部の閉じた部分１２に損傷を与えないようにするため、図９に示すように上記閉じた部分１２の上に石材等によるカウンター材１３を設置する。なお、場合によっては、難透水性材料８を充填する前にあらかじめ一方及び他方の型枠６ａ，６ｂの上部を閉じて袋状に形成しておき、この袋内に注入パイプを挿入して難透水性材料を打設する方法もある。
【００２６】
上記土質系材料は例えば珪酸塩類とアルカリ金属塩類の何れか１つと、粘性土と、粘土鉱物（ベントナイト）の全部を含む変形追随性を有するものまたは粘性土と、粘土鉱物（ベントナイト）とを含む変形追随性を有するものとする。
【００２７】
現状における遮水シートの特性を表１に示す。
【００２８】
【表１】
2007152241.tif 000003
【００２９】
このうち、現時点で、本発明で使用が想定されるのは、（１）容易に水中に敷設可能であること。（比重が１．０以上であること）
【００３０】
（２）熱溶着が可能であること。（原反を幅広加工する際は、従来の熱溶着を用いる）
【００３１】
（３）安価であること
【００３２】
の理由により、塩化ビニル系シート（ＰＶＣ）、高密度ポリエチレンシートの２タイプである。
【００３３】
難透水性材料として想定されるアスファルトマスチック（サンドマスチック及びグラベルマスチック）の配合例を表２及び３に示す。
【００３４】
【表２】
2007152241.tif 000004
【００３５】
【表３】
2007152241.tif 000005
【図面の簡単な説明】
【００３６】
【図１】本発明の海面廃棄物処分場の遮水シート継手の説明図である。
【図２】本発明の海面廃棄物処分場の遮水シート継手とケーソンの説明用斜視図である。
【図３】本発明の海面廃棄物処分場の遮水シート継手とケーソンの説明用斜視図である。
【図４】本発明の海面廃棄物処分場の遮水シート継手とケーソンの説明用斜視図である。
【図５】本発明の海面廃棄物処分場の遮水シート継手とケーソンの説明用斜視図である。
【図６】本発明の海面廃棄物処分場の遮水シート継手とケーソンの説明用斜視図である。
【図７】本発明の海面廃棄物処分場の遮水シート継手に対する難透水性材料の充填説明用斜視図である。
【図８】本発明の海面廃棄物処分場の遮水シート継手の断面図である。
【図９】本発明の海面廃棄物処分場の遮水シート継手とケーソンの説明用斜視図である。
【符号の説明】
【００３７】
１    外周護岸
２    開口部
３    ケーソン
３ａ  ケーソン
４    裏込石
４ａ  裏込石
５    被継手用遮水シート
５ａ  端部
６    袋状空所
６ａ  一方の型枠
６ｂ  他方の型枠
７    継手用遮水シート
７ａ  端部
８    難透水性材料
９    支え
１０    支持体
１１    トレミー管
１２    閉じた部分
１３    カウンター材
【図１】
2007152241.tif 000006
【図２】
2007152241.tif 000007
【図３】
2007152241.tif 000008
【図４】
2007152241.tif 000009
【図５】
2007152241.tif 000010
【図６】
2007152241.tif 000011
【図７】
2007152241.tif 000012
【図８】
2007152241.tif 000013
【図９】
2007152241.tif 000014